【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
受信機からのコンテンツ要求に応じて、ネットワークに接続された送信機が、所定のタイミングで更新する更新情報であってコンテンツの暗号化および復号に用いるコンテンツ鍵の作成に必要な前記更新情報を、暗号化されたコンテンツに付随させて送信するコンテンツ送受信システムにおける、正規コンテンツ確認方法であって、
前記受信機にて、前記送信機から受信した前記更新情報を少なくとも含む正規確認要求を送信する確認要求ステップと、
前記送信機にて、前記受信機から受信した前記正規確認要求に含まれる前記更新情報が、所定の更新情報であるかどうかを照合する更新情報照合ステップと、
前記送信機にて、前記更新情報が前記所定の更新情報であると判定した場合には、前記更新情報と、前記送信機および前記受信機の双方であらかじめ共有されている交換鍵とを用いて了承メッセージを作成し前記受信機に送信する、了承メッセージ送信ステップと、
前記受信機にて、前記送信機からの前記了承メッセージを受信した場合には、受信中のコンテンツが正規のコンテンツであると判断する正規コンテンツ判定ステップとを備えた、正規コンテンツ確認方法。
【請求項２】
前記所定の更新情報は、現在使用中の更新情報または所定回数更新前の更新情報である、請求項１に記載の正規コンテンツ確認方法。
【請求項３】
前記確認要求ステップでは、前記受信機は、前記正規確認要求を送信する毎に異ならせた数も前記正規確認要求に含めて送信し、
前記了承メッセージ送信ステップでは、前記送信機は、前記正規確認要求に含まれる前記数も用いて前記了承メッセージを作成する、請求項１に記載の正規コンテンツ確認方法。
【請求項４】
前記確認要求ステップでは、前記受信機は、前記交換鍵および前記送信機から送られてきた前記更新情報を用いて作成した識別メッセージも前記正規確認要求に含めて送信し、
前記了承メッセージ送信ステップでは、前記送信機は、前記更新情報が前記所定の更新情報であると判定し、かつ、前記正規確認要求に含まれる前記識別メッセージが、前記送信機自身が前記交換鍵および前記更新情報を用いて作成した識別メッセージと一致することを確認した場合に、前記了承メッセージを前記受信機に送信する、請求項１に記載の正規コンテンツ確認方法。
【請求項５】
前記了承メッセージ送信ステップでは、前記送信機は、前記更新情報が前記所定の更新情報ではないと判定した場合には、非了承メッセージを前記受信機に送信し、
前記正規コンテンツ判定ステップでは、前記受信機にて、前記送信機からの前記非了承メッセージを受信した場合には、受信中のコンテンツが正規のコンテンツではないと判断し前記コンテンツを利用しない、請求項１に記載の正規コンテンツ確認方法。
【請求項６】
前記正規コンテンツ判定ステップで、前記受信機が前記了承メッセージを受信できない場合には、前記受信機にて、所定期間、前記正規確認要求を繰り返し送信する確認要求リトライ送信ステップをさらに備え、
前記正規コンテンツ判定ステップでは、前記受信機にて、前記所定期間を過ぎても前記了承メッセージを受信できない場合には、受信したコンテンツを利用しないようにする、請求項１に記載の正規コンテンツ確認方法。
【請求項７】
前記正規コンテンツ判定ステップで、前記受信機が前記了承メッセージを受信できない場合には、前記受信機にて、所定回数、前記正規確認要求を繰り返し送信する確認要求リトライ送信ステップをさらに備え、
前記正規コンテンツ判定ステップでは、前記受信機にて、前記正規確認要求を前記所定回数送信しても前記了承メッセージを受信できない場合には、受信したコンテンツを利用しないようにする、請求項１に記載の正規コンテンツ確認方法。
【請求項８】
前記正規コンテンツ判定ステップで、前記受信機にて、受信した前記コンテンツを利用しないようにした後に、所定の制限回数または所定の制限期間あるいは所定の停止条件が整うまで、前記正規確認要求を繰り返し送信する、確認要求再送信ステップをさらに備え、
前記正規コンテンツ判定ステップでは、前記受信機にて、受信した前記コンテンツを利用しないようにした後に、前記了承メッセージを受信した場合には、受信したコンテンツを利用するようにする、請求項５乃至７のいずれかの項に記載の正規コンテンツ確認方法。
【請求項９】
コンテンツ要求を送信する受信機と、ネットワークにより前記受信機に接続され、前記受信機からのコンテンツ要求に応じて、所定のタイミングで更新する更新情報であってコンテンツの暗号化および復号に用いるコンテンツ鍵の作成に必要な前記更新情報を、暗号化されたコンテンツに付随させて送信する送信機とを備えたコンテンツ送受信システムにおいて、
前記受信機は、
前記送信機との双方であらかじめ共有されている交換鍵と、前記送信機から受信した前記更新情報とを用いて作成した正規確認要求を送信する確認要求手段と、
前記送信機からの了承メッセージを受信した場合には、受信中のコンテンツが正規のコンテンツであると判断する確認結果照合手段とを有し、
前記送信機は、
前記受信機から送信されてきた前記正規確認要求を受信する確認要求受付手段と、
受信した前記正規確認要求に含まれる前記更新情報が、所定の更新情報であるかどうかを照合する更新情報確認手段と、
前記更新情報が前記所定の更新情報であると判定した場合には、前記更新情報および前記受信機との双方で共有されている前記交換鍵を用いて前記了承メッセージを作成し、前記受信機に送信する確認応答手段とを有する、コンテンツ送受信システム。
【請求項１０】
受信機からのコンテンツ要求に応じて、ネットワークに接続された送信機が、所定のタイミングで更新する更新情報であってコンテンツの暗号化および復号に用いるコンテンツ鍵の作成に必要な前記更新情報を、暗号化されたコンテンツに付随させて送信するコンテンツ送受信システムに用いられる送信機であって、
前記受信機で、前記受信機との双方であらかじめ共有されている交換鍵と、前記送信機から受信した前記更新情報とを用いて作成され、前記受信機から送信されてきた正規確認要求を受信する確認要求受付手段と、
前記受信機から受信した前記正規確認要求に含まれる前記更新情報が、所定の更新情報であるかどうかを照合する更新情報確認手段と、
前記更新情報が前記所定の更新情報であると判定した場合には、前記更新情報と前記交換鍵とを用いて、前記受信機が受信中のコンテンツが正規のコンテンツであるかどうかを判断するための了承メッセージを作成し前記受信機に送信する確認応答手段とを備えた、送信機。
【請求項１１】
受信機からのコンテンツ要求に応じて、ネットワークに接続された送信機が、所定のタイミングで更新する更新情報であってコンテンツの暗号化および復号に用いるコンテンツ鍵の作成に必要な前記更新情報を、暗号化されたコンテンツに付随させて送信するコンテンツ送受信システムに用いられる受信機であって、
前記送信機との双方であらかじめ共有されている交換鍵と、前記送信機から受信した前記更新情報とを用いて作成した正規確認要求を送信する確認要求手段と、
前記送信機が、受信した前記正規確認要求に含まれる前記更新情報が所定の更新情報であると判定して、前記更新情報および前記交換鍵を用いて作成して送信してきた了承メッセージを受信した場合には、受信中のコンテンツが正規のコンテンツであると判断する確認結果照合手段とを備えた、受信機。
【請求項１２】
請求項１に記載の正規コンテンツ確認方法の、前記受信機にて前記正規確認要求を送信する前記確認要求ステップ、前記送信機にて前記更新情報が前記所定の更新情報であるかどうかを照合する前記更新情報照合ステップ、前記送信機にて前記了承メッセージを作成し前記受信機に送信する前記了承メッセージ送信ステップ、前記受信機にて前記送信機からの前記了承メッセージを受信した場合に前記送信機が正規の送信機であると確認する前記正規コンテンツ判定ステップ、をコンピュータに実行させるためのプログラム。
【請求項１３】
請求項１２に記載のプログラムを記録した記録媒体であって、コンピュータにより処理可能な記録媒体。
【手続補正２】
【補正対象書類名】明細書
【補正対象項目名】発明の名称
【補正方法】変更
【補正の内容】
【発明の名称】正規コンテンツ確認方法、コンテンツ送受信システム、送信機、および受信機
【手続補正３】
【補正対象書類名】明細書
【補正対象項目名】０００１
【補正方法】変更
【補正の内容】
【０００１】
本発明は、コンテンツをネットワーク経由で配信する際に、配信元（送信機）と配信先（受信機）間で正当なコンテンツを送受信するためのデータ伝送セキュリティ技術に関連した正規コンテンツ確認方法、コンテンツ送受信システム、送信機、および受信機等に関する。
【手続補正４】
【補正対象書類名】明細書
【補正対象項目名】０００２
【補正方法】変更
【補正の内容】
【０００２】
近年、インターネットへの接続環境が整い、また家電製品もネットワーク対応を進めやすい環境（ネットワーク化を行うためのデバイスのローコスト化、能力向上など）が整ってきている。また同時に、伝送されるコンテンツが、不正コピーや不正傍受、不正改竄をされないように保護するための著作権保護技術が重要視されてきている。Digital Transmission Content Protection (DTCP)は、IEEE１３９４シリアルバスに伝送されるAVコンテンツの著作権保護技術として開発され、拡張としてインターネットプロトコル（IP）上でも技術展開が行われている。（非特許文献１参照）。
【手続補正５】
【補正対象書類名】明細書
【補正対象項目名】０００３
【補正方法】変更
【補正の内容】
【０００３】
図８および９は、HTTPプロトコル（サーバとクライアント間に、コネクションを確立してから、クライアントからのリクエストに対して、サーバがレスポンスを返すという形で、データのやりとりを行う）を用いたDTCP-IPによる、従来の伝送システムにおける送信機、および受信機の機能ブロック図の一例である。
【手続補正６】
【補正対象書類名】明細書
【補正対象項目名】０００４
【補正方法】変更
【補正の内容】
【０００４】
図８における送信機８００は、証明書・鍵保持部８０１、交換鍵作成部８０２、認証・鍵交換部８０３、更新情報作成・更新部８０４、コピー制御情報管理部８０５、コンテンツ鍵算出部８０６、コンテンツ蓄積部８０７、コンテンツ暗号化部８０８、コンテンツパケット作成部８０９、コンテンツパケット送信部８１０、およびＨＴＴＰプロトコル部８１１を備える。
【手続補正７】
【補正対象書類名】明細書
【補正対象項目名】０００９
【補正方法】変更
【補正の内容】
【０００９】
コピー制御情報管理部８０５は、各コンテンツの管理内容（例えば、コピー禁止、一世代コピー可など）である、コンテンツに適応される暗号化モードをコピー制御情報(E_EMI)として管理する。コピー制御情報(E_EMI)は、コンテンツ鍵(Kc)の算出に用いられ、算出されたコンテンツ鍵(Kc)で暗号化されたコンテンツに付随して受信機に渡される。
【手続補正８】
【補正対象書類名】明細書
【補正対象項目名】００１６
【補正方法】変更
【補正の内容】
【００１６】
図９における受信機９００は、証明書・鍵保持部９０１、認証・鍵交換部９０２、更新情報格納部９０３、コピー制御情報格納部９０４、コンテンツ鍵算出部９０５、コンテンツ利用部９０６、コンテンツ復号部９０７、コンテンツパケット解析部９０８、コンテンツパケット受信部９０９、およびHTTPプロトコル部９１０を備える。
【手続補正９】
【補正対象書類名】明細書
【補正対象項目名】００１９
【補正方法】変更
【補正の内容】
【００１９】
更新情報格納部９０３は、送信機から受信した暗号化されたコンテンツに付随する更新情報(Nc)を格納する。
【手続補正１０】
【補正対象書類名】明細書
【補正対象項目名】００２２
【補正方法】変更
【補正の内容】
【００２２】
コンテンツ利用部９０６は、復号されたコンテンツを、コピー制御情報格納部９０４で格納されたコピー制御情報（Ｅ＿ＥＭＩ）に従って再生・記録するなどして利用する。
【手続補正１１】
【補正対象書類名】明細書
【補正対象項目名】００２４
【補正方法】変更
【補正の内容】
【００２４】
コンテンツパケット解析部９０８は、暗号化されたコンテンツに付随する更新情報(Nc)およびコピー制御情報(E_EMI)を分離し、それぞれ、更新情報格納部９０３、およびコピー制御情報格納部９０４に渡す。
【手続補正１２】
【補正対象書類名】明細書
【補正対象項目名】００２７
【補正方法】変更
【補正の内容】
【００２７】
図１０は、図８に示した送信機８００および図９に示した受信機９００を備えた従来の伝送システムにおける暗号通信プロトコル手順を示している。
以下、図１０を用いて、従来の暗号通信プロトコル手順について説明する。
【手続補正１３】
【補正対象書類名】明細書
【補正対象項目名】００３０
【補正方法】変更
【補正の内容】
【００３０】
（１００３）送信機８００は、認証鍵(Kauth)で交換鍵(Kx)を暗号化して(Ksx)、受信機９００に送付する。
【手続補正１４】
【補正対象書類名】明細書
【補正対象項目名】００４２
【補正方法】変更
【補正の内容】
【００４２】
上記の一連のプロトコル手順によって、送信機８００と受信機９００の間に、共通の交換鍵(Kx)（１０８０、１０９０）と、コンテンツに付随する、更新情報(Nc)（１０８１、１０９１）とコピー制御情報(E_EMI)（１０８２、１０９２）が共有され、正当な受信機でのみこれらを用いて、暗号化されたコンテンツを正しく復号することができる。
【手続補正１５】
【補正対象書類名】明細書
【補正対象項目名】００４３
【補正方法】変更
【補正の内容】
【００４３】
しかしながら、従来のシステムにおいて、交換鍵を共有している当事者間での暗号通信によるコンテンツ保護の仕組みは確立されているが、不特定多数の機器が接続するIPネットワークの特性上「誰が送ってきたのか」という認証の問題が発生する可能性がある。すなわち、受信機がコンテンツを要求し受信したとしても、間違いなく要求先の正当な送信機からの正当なコンテンツであることを確認する手段がないため、例えば、攻撃者が、ＩＰネットワークを監視し、流れる暗号化コンテンツを記録（キャッシュ保存）し、その後、受信機の要求に対し、正当な送信機になりすましてその記録したコンテンツで応答しても判別できない。
【手続補正１６】
【補正対象書類名】明細書
【補正対象項目名】００４４
【補正方法】変更
【補正の内容】
【００４４】
図１１は、従来の伝送システムのネットワーク構成における課題を説明する図を示している。以下、図１１を用いて、課題とされる一事例を説明する。
【手続補正１７】
【補正対象書類名】明細書
【補正対象項目名】００４５
【補正方法】変更
【補正の内容】
【００４５】
送信機８００と受信機９００は、それぞれ、交換鍵を共有している、正当な暗号通信対象機器である。送信機８００と受信機９００の間では、受信機９００のコンテンツ要求（１１１１）に応じて、付随情報を伴った暗号化コンテンツ（１１１２）が伝送される。ここで、ネットワーク上に接続した不正な機器１１００は、バス上を流れるHTTPリクエスト、レスポンスを監視し、これらを記録することができる（１１１３）。不正な機器１１００自身はコンテンツを復号し、視聴するなどの利用はできないが、例えば、その後、受信機９００から送信機８００へのHTTPリクエストをフックし（１１１４）、正当な送信機８００に成りすまし、以前記録したコンテンツを、本来受信機９００が受け取るべきコンテンツにすり替えて送信する（１１１５）ことができてしまう。
このとき、受信機９００は、そのすり替えて送信されてきたコンテンツが、正当な送信機８００から送信されてきた正規のコンテンツなのか不正な機器１１００から送信されてきたコンテンツなのかを判別できないので、そのすり替えて送信されてきたコンテンツをユーザに利用させてしまうことになる。
【手続補正１８】
【補正対象書類名】明細書
【補正対象項目名】００４６
【補正方法】変更
【補正の内容】
【００４６】
本発明は、上述した従来の課題を解決するもので、受信したコンテンツが正規のコンテンツであるか否かを判別できる、正規コンテンツ確認方法、コンテンツ送受信システム、送信機および受信機等を提供することを目的とする。
【手続補正１９】
【補正対象書類名】明細書
【補正対象項目名】００４７
【補正方法】変更
【補正の内容】
【００４７】
前述の目的を達成するために、本発明の正規コンテンツ確認方法は、受信機からのコンテンツ要求に応じて、ネットワークに接続された送信機が、所定のタイミングで更新する更新情報であってコンテンツの暗号化および復号に用いるコンテンツ鍵の作成に必要な前記更新情報を、暗号化されたコンテンツに付随させて送信するコンテンツ送受信システムにおける、正規コンテンツ確認方法であって、前記受信機にて、前記送信機から受信した前記更新情報を少なくとも含む正規確認要求を送信する確認要求ステップと、前記送信機にて、前記受信機から受信した前記正規確認要求に含まれる前記更新情報が、所定の更新情報であるかどうかを照合する更新情報照合ステップと、前記送信機にて、前記更新情報が前記所定の更新情報であると判定した場合には、前記更新情報と、前記送信機および前記受信機の双方であらかじめ共有されている交換鍵とを用いて了承メッセージを作成し前記受信機に送信する、了承メッセージ送信ステップと、前記受信機にて、前記送信機からの前記了承メッセージを受信した場合には、受信中のコンテンツが正規のコンテンツであると判断する正規コンテンツ判定ステップとを備える正規コンテンツの確認方法である。
【手続補正２０】
【補正対象書類名】明細書
【補正対象項目名】００４８
【補正方法】変更
【補正の内容】
【００４８】
また、本発明の送受信システムは、コンテンツ要求を送信する受信機と、ネットワークにより前記受信機に接続され、前記受信機からのコンテンツ要求に応じて、所定のタイミングで更新する更新情報であってコンテンツの暗号化および復号に用いるコンテンツ鍵の作成に必要な前記更新情報を、暗号化されたコンテンツに付随させて送信する送信機とを備えたコンテンツ送受信システムにおいて、前記受信機は、前記送信機との双方であらかじめ共有されている交換鍵と、前記送信機から受信した前記更新情報とを用いて作成した正規確認要求を送信する確認要求手段と、前記送信機からの了承メッセージを受信した場合には、受信中のコンテンツが正規のコンテンツであると判断する確認結果照合手段とを有し、前記送信機は、前記受信機から送信されてきた前記正規確認要求を受信する確認要求受付手段と、受信した前記正規確認要求に含まれる前記更新情報が、所定の更新情報であるかどうかを照合する更新情報確認手段と、前記更新情報が前記所定の更新情報であると判定した場合には、前記更新情報および前記受信機との双方で共有されている前記交換鍵を用いて前記了承メッセージを作成し、前記受信機に送信する確認応答手段とを有するコンテンツ送受信システムとしても構わない。
【手続補正２１】
【補正対象書類名】明細書
【補正対象項目名】００４９
【補正方法】変更
【補正の内容】
【００４９】
また、本発明の送信機は、受信機からのコンテンツ要求に応じて、ネットワークに接続された送信機が、所定のタイミングで更新する更新情報であってコンテンツの暗号化および復号に用いるコンテンツ鍵の作成に必要な前記更新情報を、暗号化されたコンテンツに付随させて送信するコンテンツ送受信システムに用いられる送信機であって、前記受信機で、前記受信機との双方であらかじめ共有されている交換鍵と、前記送信機から受信した前記更新情報とを用いて作成され、前記受信機から送信されてきた正規確認要求を受信する確認要求受付手段と、前記受信機から受信した前記正規確認要求に含まれる前記更新情報が、所定の更新情報であるかどうかを照合する更新情報確認手段と、前記更新情報が前記所定の更新情報であると判定した場合には、前記更新情報と前記交換鍵とを用いて、前記受信機が受信中のコンテンツが正規のコンテンツであるかどうかを判断するための了承メッセージを作成し前記受信機に送信する確認応答手段とを備えた送信機としても構わない。
【手続補正２２】
【補正対象書類名】明細書
【補正対象項目名】００５０
【補正方法】変更
【補正の内容】
【００５０】
また、本発明の受信機は、受信機からのコンテンツ要求に応じて、ネットワークに接続された送信機が、所定のタイミングで更新する更新情報であってコンテンツの暗号化および復号に用いるコンテンツ鍵の作成に必要な前記更新情報を、暗号化されたコンテンツに付随させて送信するコンテンツ送受信システムに用いられる受信機であって、前記送信機との双方であらかじめ共有されている交換鍵と、前記送信機から受信した前記更新情報とを用いて作成した正規確認要求を送信する確認要求手段と、前記送信機が、受信した前記正規確認要求に含まれる前記更新情報が所定の更新情報であると判定して、前記更新情報および前記交換鍵を用いて作成して送信してきた了承メッセージを受信した場合には、受信中のコンテンツが正規のコンテンツであると判断する確認結果照合手段とを備える受信機としても構わない。
【手続補正２３】
【補正対象書類名】明細書
【補正対象項目名】００５１
【補正方法】削除
【補正の内容】
【手続補正２４】
【補正対象書類名】明細書
【補正対象項目名】００５２
【補正方法】削除
【補正の内容】
【手続補正２５】
【補正対象書類名】明細書
【補正対象項目名】００５３
【補正方法】削除
【補正の内容】
【手続補正２６】
【補正対象書類名】明細書
【補正対象項目名】００５４
【補正方法】削除
【補正の内容】
【手続補正２７】
【補正対象書類名】明細書
【補正対象項目名】００５５
【補正方法】変更
【補正の内容】
【００５５】
本発明の正規コンテンツ確認方法では、送信機は、受信機から送信された更新情報から、当該受信機が現在正しいコンテンツを受信しているかどうかを確認できる。また、その確認結果通知である了承メッセージが、正当な送信機と当該受信機の間であらかじめ共有された交換鍵を用いて作成されるため、受信機は、受信した了承メッセージが、正当な送信機から送られたものかどうかを確認できる。これにより、不当ななりすまし機器からのすり替えコンテンツを判別することができる。
【手続補正２８】
【補正対象書類名】明細書
【補正対象項目名】００５６
【補正方法】変更
【補正の内容】
【００５６】
また、送信機における更新情報の更新は、内部処理のため、直前の更新情報が付加されたコンテンツを受信機が受信するよりも早いタイミングで行われることが考えられるため、現在使用中の更新情報だけではなく直前の更新情報についても了承対象とすることにより、正しいコンテンツの送受信に関して誤った確認を行う頻度を軽減するという効果が得られる。
【手続補正２９】
【補正対象書類名】明細書
【補正対象項目名】００５７
【補正方法】変更
【補正の内容】
【００５７】
また、確認要求の度に異ならせた数も用いることにより、例えば、受信機から不正な機器が、送信機と受信機の間で交換される更新情報と了承メッセージの組み合わせを記憶しておいて、受信機がなりすまし機器からのすり替えコンテンツ受信中に確認要求を送信したときに、不正な機器が記憶しておいたその同じ確認要求に対応する了承メッセージを送信したとしても、受信機における識別を成功させるのを防ぐ。
【手続補正３０】
【補正対象書類名】明細書
【補正対象項目名】００５８
【補正方法】変更
【補正の内容】
【００５８】
また、確認要求に、正当な送信機と当該受信機の間であらかじめ共有された交換鍵を用いて作成されたメッセージを含めることにより、不正な機器が、現在使用中の更新情報を当該送信機に送信しても対応する了承メッセージを獲得できなくすることができるため、受信機がなりすまし機器からのすり替えコンテンツ受信中に、識別を成功させるのを防ぐことができる。
【手続補正３１】
【補正対象書類名】明細書
【補正対象項目名】００５９
【補正方法】変更
【補正の内容】
【００５９】
また、ここで、受信機は、了承メッセージを受信できない場合には、受信コンテンツを利用しないことにより、不当ななりすまし機器からのすり替えコンテンツがユーザに利用可能となるのを防ぐことができる。
【手続補正３２】
【補正対象書類名】明細書
【補正対象項目名】００６０
【補正方法】変更
【補正の内容】
【００６０】
また、受信機は、了承メッセージを受信できない場合には、所定期間あるいは所定回数
リトライを行った後に受信コンテンツを利用しないことにより、不正な機器が邪魔するこ
とにより、受信機が永遠にリトライしている間コンテンツが利用できてしまう（視聴でき
る）のを防ぐことができる。
【手続補正３３】
【補正対象書類名】明細書
【補正対象項目名】００６２
【補正方法】変更
【補正の内容】
【００６２】
（実施の形態１）
以下、本発明の正規コンテンツ確認方法について、従来の伝送システムに適応した場合について説明する。なお、以下の各実施の形態において、上述した従来例と同一あるいはそれに相当する処理・構成については、同一符号を用いてその詳細な説明を省略する。
【手続補正３４】
【補正対象書類名】明細書
【補正対象項目名】００６３
【補正方法】変更
【補正の内容】
【００６３】
図１は、本発明の実施の形態１に係るコンテンツ送受信システムで使用される送信機の機能ブロック図である。
【手続補正３５】
【補正対象書類名】明細書
【補正対象項目名】００６４
【補正方法】変更
【補正の内容】
【００６４】
送信機１００は、図８に示す従来の送信機８００と同様、証明書・鍵保持部８０１、交換鍵作成部８０２、認証・鍵交換部８０３、コピー制御情報管理部８０５、コンテンツ鍵算出部８０６、コンテンツ蓄積部８０７、コンテンツ暗号化部８０８、コンテンツパケット作成部８０９、コンテンツパケット送信部８１０、およびＨＴＴＰプロトコル部８１１を備える。さらに、確認要求受付部１０１、識別情報確認部１０２、更新情報確認部１０３、確認応答部１０４、および更新情報作成・更新部１０５を備える。
なお、確認要求受付部１０１、更新情報確認部１０３、確認応答部１０４が、それぞれ、本発明の確認要求受付手段、更新情報確認手段、確認応答手段の一例にあたる。
【手続補正３６】
【補正対象書類名】明細書
【補正対象項目名】００６５
【補正方法】変更
【補正の内容】
【００６５】
確認要求受付部１０１は、受信機から、更新情報(test_Nc)と任意の数（N=受信機が確認要求のたびに異なる数を指定する）と識別情報とで構成される確認要求を受信する。
【手続補正３７】
【補正対象書類名】明細書
【補正対象項目名】００６６
【補正方法】変更
【補正の内容】
【００６６】
識別情報確認部１０２は、受信した確認要求に含まれる識別情報が、正しい受信機であることを示す情報であるかどうかを確認する。ここで、識別情報は、同じく確認要求に含まれる更新情報(Nc)と任意の数（N）、そして、受信機との間で共有されている交換鍵(Kx)を用いて算出されたものであり、同様の算出を行うことにより、送信機において正しい識別情報であるかどうかを確認できる。ここで、例えば、識別情報は、交換鍵(Kx)を連結した数をハッシュ関数に入力し、算出されたハッシュ値と更新情報(Nc)と任意の数(N)を加算し、さらにハッシュ関数に入力して得た値（160ビット）の下位80ビットとする。ハッシュ値は擬似的な乱数のような値をとり、これをもとに原文を再現することはできないので、不当な機器がこの識別情報から交換鍵(Kx)を解読することはできない。
なお、確認要求が、本発明の正規確認要求の一例にあたり、識別情報が、本発明の識別メッセージの一例にあたる。
【手続補正３８】
【補正対象書類名】明細書
【補正対象項目名】００６７
【補正方法】変更
【補正の内容】
【００６７】
更新情報作成・更新部１０５は、従来の送信機８００の更新情報作成・更新部８０４と同様、更新情報(Nc)を新規作成あるいは更新すると同時に、更新前の更新情報(pre_Nc)を保持する。
【手続補正３９】
【補正対象書類名】明細書
【補正対象項目名】００６８
【補正方法】変更
【補正の内容】
【００６８】
更新情報確認部１０３は、受信した確認要求に含まれる更新情報(test_Nc)が、現在、送信機１００がコンテンツ送信のために使用中の更新情報と一致するかどうかを確認する。ここで、使用中の更新情報としては、更新情報作成・更新部１０５で管理されている更新情報(Nc)あるいは直前の更新情報(pre_Nc)をさす。また、更新情報が短い期間で変更されることを考慮し、それまでに使用した複数の更新情報を直前の更新情報として保持しても良い。
ここで更新情報(test_Nc)との一致を確認するために用いる使用中の更新情報が、本発明の所定の更新情報の一例にあたる。そして、それまでに使用した複数の更新情報が、本発明の、所定回数更新前の更新情報の一例にあたる。
【手続補正４０】
【補正対象書類名】明細書
【補正対象項目名】００６９
【補正方法】変更
【補正の内容】
【００６９】
確認応答部１０４は、前記識別情報確認部１０２及び前記更新情報確認部１０３で是と判定した場合、受信機から受け取った更新情報(test_Nc)と任意の数（N）、そして、受信機との間に共有されている交換鍵(Kx)を用いて了承メッセージを作成し、当該受信機に送信する。ここで、例えば、了承メッセージは、下記のように算出される。交換鍵(Kx)を連結した数をハッシュ関数に入力し、ハッシュ値を算出する。算出されたハッシュ値と受信機からの更新情報(test_Nc)と任意の数(N)を加算し、さらにハッシュ関数に入力し得られた値（160ビット）の上位80ビットを了承メッセージに用いる。一方、識別情報確認部１０２あるいは前記更新情報確認部１０３で否と判定した場合、確認応答部１０４は、非了承メッセージを作成し、当該受信機に送信する。非了承メッセージは、その目的として了承メッセージと異なる値を利用すればよい。例えば、了承メッセージと同様にして得られた値の下位80ビットを用いてもよい。また、了承メッセージと同様にハッシュ値を算出する際に用いる任意の数(N)を変更（例えば１を加算）して得られた値の上位80ビットを用いてもよい。
【手続補正４１】
【補正対象書類名】明細書
【補正対象項目名】００７０
【補正方法】変更
【補正の内容】
【００７０】
図２は、実施の形態１に係るコンテンツ送受信システムで使用される受信機の機能ブロック図である。
【手続補正４２】
【補正対象書類名】明細書
【補正対象項目名】００７１
【補正方法】変更
【補正の内容】
【００７１】
受信機２００は、図９に示した受信機９００と同様、証明書・鍵保持部９０１、認証・鍵交換部９０２、更新情報格納部９０３、コピー制御情報格納部９０４、コンテンツ鍵算出部９０５、コンテンツ復号部９０７、コンテンツパケット解析部９０８、およびHTTPプロトコル部９１０を備える。さらに、確認パラメータ生成部２０１、確認要求部２０２、確認結果照合部２０３、コンテンツパケット受信部２０４、およびコンテンツ利用部２０５を備える。
なお、確認要求部２０２および確認結果照合部２０３が、それぞれ本発明の確認要求手段および確認結果照合手段の一例にあたる。
【手続補正４３】
【補正対象書類名】明細書
【補正対象項目名】００７２
【補正方法】変更
【補正の内容】
【００７２】
ここで、確認パラメータ生成部２０１は、確認要求のたびに異なる数(N)を生成する。そして、更新情報(Nc)と作成した任意の数（N）、および、送信機との間に共有されている交換鍵(Kx)を用いて識別情報を算出する。識別情報の算出方法は前述しているため省略する。
【手続補正４４】
【補正対象書類名】明細書
【補正対象項目名】００７３
【補正方法】変更
【補正の内容】
【００７３】
確認要求部２０２は、更新情報格納部９０３に格納されている更新情報(現在受信している暗号化コンテンツに付随してきたNcであり、test_Ncとなる)と、確認パラメータ生成部２０１で作成された任意の数（N）と、識別情報とで構成される確認要求を送信機へ送信する。
【手続補正４５】
【補正対象書類名】明細書
【補正対象項目名】００７４
【補正方法】変更
【補正の内容】
【００７４】
確認結果照合部２０３は、送信機から受信した応答メッセージが、了承メッセージであるかどうかを確認する。ここで、了承メッセージかどうかを確認するために、送信した更新情報(test_Nc)と任意の数（N）、および送信機との間に共有されている交換鍵(Kx)を用いて、送信機の確認応答部１０４が了承メッセージを算出したのと同様の方法で了承メッセージを算出し、送信機から受信した応答メッセージと比較する。了承メッセージの算出方法は前述しているため省略する。
【手続補正４６】
【補正対象書類名】明細書
【補正対象項目名】００７５
【補正方法】変更
【補正の内容】
【００７５】
コンテンツパケット受信部２０４は、確認結果照合部２０３で判定された結果を受け、送信機から受信した応答メッセージが了承メッセージではないと判定された場合には、そのコンテンツを含むHTTPレスポンスの終了まで、そのボディとして受信しているコンテンツパケットを破棄する。送信機から受信した応答メッセージが了承メッセージであった、すなわち正規の送信機から送信されていると判定された場合には、正しいコンテンツを受信していると判断し、そのままコンテンツの受信を継続する。
【手続補正４７】
【補正対象書類名】明細書
【補正対象項目名】００７６
【補正方法】変更
【補正の内容】
【００７６】
コンテンツ利用部２０５は、確認結果照合部２０３で判定された結果を受け、送信機から受信した応答メッセージが了承メッセージではないと判定された場合には、そのコンテンツの利用を中止する。送信機から受信した応答メッセージが了承メッセージであった、すなわち正規の送信機から送信されていると判定された場合には、正しいコンテンツを受信していると判断し、そのままコンテンツの利用を継続する。
【手続補正４８】
【補正対象書類名】明細書
【補正対象項目名】００７７
【補正方法】変更
【補正の内容】
【００７７】
図３は、図１の送信機１００および図２の受信機２００を備えた実施の形態１のコンテンツ送受信システムにおける処理手順（プロトコル）を示す図である。認証・鍵の共有やコンテンツのリクエストおよび受信の処理手順は、前述した従来例の図１０での記載と同一であり省略する。
まず、図２および図３を用いて、受信機２００が行う、受信コンテンツが正規であるかどうかを確認するプロトコル動作について説明する。
【手続補正４９】
【補正対象書類名】明細書
【補正対象項目名】００７９
【補正方法】変更
【補正の内容】
【００７９】
ステップＳ３２２：確認パラメータ生成部２０１にて、任意の数(N)と識別情報を作成する。ここで、Nは直前に実施した確認要求で使用した数と等しくならないように作成される。
【手続補正５０】
【補正対象書類名】明細書
【補正対象項目名】００８０
【補正方法】変更
【補正の内容】
【００８０】
ステップＳ３２３：確認要求部２０２にて、コンテンツに付随していた更新情報(Nc)と任意の数(N)と識別情報とを用いた確認要求を作成し、送信する。
【手続補正５１】
【補正対象書類名】明細書
【補正対象項目名】００８１
【補正方法】変更
【補正の内容】
【００８１】
ステップＳ３２４：確認結果照合部２０３にて、送信機１００より、応答メッセージを受信する。
【手続補正５２】
【補正対象書類名】明細書
【補正対象項目名】００８４
【補正方法】変更
【補正の内容】
【００８４】
ステップＳ３２７：コンテンツ利用部２０５にて、コンテンツの利用を中止し、コンテンツパケット受信部２０４にて、受信中のコンテンツパケットを破棄する。
【手続補正５３】
【補正対象書類名】明細書
【補正対象項目名】００８５
【補正方法】変更
【補正の内容】
【００８５】
次に、図１および図３を用いて、送信機１００が行う、受信機が正規コンテンツを受信しているかどうかを確認するためのプロトコル動作について説明する。
【手続補正５４】
【補正対象書類名】明細書
【補正対象項目名】００９０
【補正方法】変更
【補正の内容】
【００９０】
ステップＳ３１６：確認応答部１０４にて、了承メッセージとは異なる非了承メッセージを作成する。そのままステップＳ３１５に進む。
ステップＳ３１５：確認応答部１０４にて、応答メッセージ（了承メッセージまたは非了承メッセージ）を送信する。
なお、ステップＳ３２３が、本発明の確認要求ステップの一例にあたり、ステップＳ３２５が、本発明の正規コンテンツ判定ステップの一例にあたる。また、ステップＳ３１３が本発明の更新情報照合ステップの一例にあたり、ステップＳ３１４とステップＳ３１５を合わせた処理が、本発明の了承メッセージ送信ステップの一例にあたる。
【手続補正５５】
【補正対象書類名】明細書
【補正対象項目名】００９１
【補正方法】削除
【補正の内容】
【手続補正５６】
【補正対象書類名】明細書
【補正対象項目名】００９２
【補正方法】変更
【補正の内容】
【００９２】
更新情報は、送信機により所定のルールに従って、更新される。従って、不当な機器がコンテンツのすり替えを行った場合、すりかえられたコンテンツに付随している更新情報と、送信機がその時点で保持している更新情報は一致しない。したがって、送信機は、受信機から送信されてきた確認要求に含まれる更新情報から、当該受信機が現在、正しいコンテンツを受信しているかどうかを確認できる。また、その確認結果通知である了承メッセージが、正当な送信機と当該受信機の間であらかじめ共有された交換鍵を用いて作成されるため、受信機は、受信した了承メッセージが、正当な送信機から送られてきものかどうかを確認できる。これにより、不当ななりすまし機器からのすり替えコンテンツを判別することができる。
【手続補正５７】
【補正対象書類名】明細書
【補正対象項目名】００９４
【補正方法】変更
【補正の内容】
【００９４】
また、確認要求の度に異ならせる数も用いることにより、例えば、受信機から不正な機器が、送信機と受信機の間で交換される更新情報と了承メッセージの組み合わせを記憶しておいて 、受信機がなりすまし機器からのすり替えコンテンツ受信中に確認要求を送信したときに、不正な機器が記憶しておいたその同じ確認要求に対応する了承メッセージを送信したとしても、受信機における識別の成功を防ぐことができる。
【手続補正５８】
【補正対象書類名】明細書
【補正対象項目名】００９５
【補正方法】変更
【補正の内容】
【００９５】
また、確認要求にも、正当な送信機と当該受信機の間であらかじめ共有された交換鍵を用いて作成した識別情報を含めることにより、不正な機器が、現在使用中の更新情報を当該送信機に送信しても対応する了承メッセージを獲得できなくすることができるため、受信機器がなりすまし機器からのすり替えコンテンツ受信中に、受信機における識別の成功を防ぐことができる。
【手続補正５９】
【補正対象書類名】明細書
【補正対象項目名】００９６
【補正方法】変更
【補正の内容】
【００９６】
また、受信機は、了承メッセージを受信できない場合には、すなわち、非了承メッセージを受信した場合には、受信コンテンツを利用しないことにより、不正な機器が邪魔することにより、不当ななりすまし機器からのすり替えコンテンツがユーザに利用可能となるのを防ぐことができる。
【手続補正６０】
【補正対象書類名】明細書
【補正対象項目名】００９８
【補正方法】変更
【補正の内容】
【００９８】
（実施の形態２）
図４は、本発明の実施の形態２に係るコンテンツ送受信システムで使用される受信機の機能ブロック図である。実施の形態２のコンテンツ送受信システムで使用される送信機の構成は、実施の形態１と同様であり、図１に示す通りである。
実施の形態２では、実施の形態１と異なる部分について説明する。実施の形態２では、受信機から送信機に対し確認要求を最大所定回数までリトライする。
【手続補正６１】
【補正対象書類名】明細書
【補正対象項目名】００９９
【補正方法】削除
【補正の内容】
【手続補正６２】
【補正対象書類名】明細書
【補正対象項目名】０１００
【補正方法】変更
【補正の内容】
【０１００】
受信機４００は、図２に示す実施の形態１の受信機２００と同様、証明書・鍵保持部９０１、認証・鍵交換部９０２、更新情報格納部９０３、コピー制御情報格納部９０４、コンテンツ鍵算出部９０５、コンテンツ復号部９０７、コンテンツパケット解析部９０８、HTTPプロトコル部９１０、確認パラメータ生成部２０１、確認要求部２０２、および確認結果照合部２０３を備える。さらに、リトライ判断部４０１、コンテンツパケット受信部４０２、およびコンテンツ利用部４０３を備える。
【手続補正６３】
【補正対象書類名】明細書
【補正対象項目名】０１０２
【補正方法】変更
【補正の内容】
【０１０２】
コンテンツパケット受信部４０２は、リトライ判断部４０１を経由し、確認結果照合部２０３で判定された結果を受け、送信機から受信した応答メッセージが了承メッセージではないと判定された場合には、そのコンテンツを含むHTTPレスポンスの終了まで、そのボディとして受信しているコンテンツパケットを破棄する。送信機から受信した応答メッセージが了承メッセージであった、すなわち正規の送信機から送信されていると判定された場合には、正しいコンテンツを受信していると判断し、そのままコンテンツの受信を継続する。
【手続補正６４】
【補正対象書類名】明細書
【補正対象項目名】０１０３
【補正方法】変更
【補正の内容】
【０１０３】
コンテンツ利用部４０３は、リトライ判断部４０１を経由し、確認結果照合部２０３で判定された結果を受け、送信機から受信した応答メッセージが了承メッセージではないと判定された場合には、そのコンテンツの利用を中止する。送信機から受信した応答メッセージが了承メッセージであった、すなわち正規の送信機から送信されていると判定された場合には、正しいコンテンツを受信していると判断し、そのままコンテンツの利用を継続する。
【手続補正６５】
【補正対象書類名】明細書
【補正対象項目名】０１０４
【補正方法】変更
【補正の内容】
【０１０４】
図５は、図１の送信機１００および図４の受信機４００を備えた実施の形態２のコンテンツ送受信システムにおける処理手順（プロトコル）を示す図である。図４および図５を用いて、受信機４００が行う、受信コンテンツが正規であるかどうかを確認するプロトコル動作について説明する。ステップＳ３２１〜ステップＳ３２４までは、前述の実施の形態１の図３での記載と同一であり、省略する。
【手続補正６６】
【補正対象書類名】明細書
【補正対象項目名】０１０７
【補正方法】変更
【補正の内容】
【０１０７】
ステップＳ５０１：リトライ判断部４０１にて、確認要求のリトライを行うかどうかを
判断する。リトライする場合には、ステップＳ３２２に戻り、確認要求送信のための準備
をする。リトライしない場合には、Ｓ３２７に進む。
ここでは、「同じ更新情報を用いたリトライは２回まで」とリトライ判断部４０１に設定されているので、２回目の確認要求のリトライ送信後に再度ステップＳ５０１の判定が行われ場合には、ステップＳ３２２に戻らずＳ３２７に進むことになる。
なお、ステップＳ５０１が、本発明の確認要求リトライ送信ステップの一例にあたる。そして、ここでリトライ判断部４０１に設定されている２回というリトライの最大所定回数が、本発明の、確認要求リトライステップで正規確認要求を繰り返し送信する所定回数の一例にあたる。
【手続補正６７】
【補正対象書類名】明細書
【補正対象項目名】０１０９
【補正方法】変更
【補正の内容】
【０１０９】
従って、実施の形態２の受信機４００を用いることにより、リトライにより正しいコンテンツの送受信に関して誤った確認を行う頻度を軽減するという効果が得られるとともに、最大リトライ回数を設けることにより、不正な機器が邪魔することにより、受信機が永遠にリトライしている間コンテンツが利用できてしまう（視聴できる）ということも防ぐことができる。
【手続補正６８】
【補正対象書類名】明細書
【補正対象項目名】０１１０
【補正方法】変更
【補正の内容】
【０１１０】
また、実施の形態２では、リトライの最大所定回数を２回として説明したが、使用されるコンテンツ送受信システムの使用状況や使用環境などに応じて、適切な回数を設定すればよい。
なお、実施の形態２では、リトライの制限を回数としたが、期間（時間）で設けてもよく、その場合にも同様の効果が得られる。
リトライの制限として、期間をリトライ判断部４０１に設定した場合には、その設定した期間中にステップＳ５０１の判定が行われた場合には、ステップＳ３２２に戻り、その設定した期間経過後にステップＳ５０１の判定が行われた場合には、ステップＳ３２２に戻らずＳ３２７に進むことになる。ここでリトライの制限としてリトライ判断部４０１に設定する期間が、本発明の、確認要求リトライステップで正規確認要求を繰り返し送信する所定期間の一例にあたる。
また、実施の形態２では、リトライ時に用いる更新情報は、最初の確認要求で使用する更新情報と同一固定としたが、受信コンテンツと共に変化していく更新情報と同期させてもよい。
【手続補正６９】
【補正対象書類名】明細書
【補正対象項目名】０１１１
【補正方法】削除
【補正の内容】
【手続補正７０】
【補正対象書類名】明細書
【補正対象項目名】０１１２
【補正方法】変更
【補正の内容】
【０１１２】
（実施の形態３）
図６は、本発明の実施の形態３に係るコンテンツ送受信システムで使用される受信機の機能ブロック図である。実施の形態３のコンテンツ送受信システムで使用される送信機の構成は、実施の形態１と同様であり、図１に示す通りである。
実施の形態３では、実施の形態１と異なる部分について説明する。実施の形態３では、受信機が受信コンテンツの利用を中止した後も、了承メッセージを受信できるまで、確認要求を行う。
【手続補正７１】
【補正対象書類名】明細書
【補正対象項目名】０１１４
【補正方法】変更
【補正の内容】
【０１１４】
受信機６００は、図４に示す実施の形態２の受信機４００と同様、証明書・鍵保持部９０１、認証・鍵交換部９０２、更新情報格納部９０３、コピー制御情報格納部９０４、コンテンツ鍵算出部９０５、コンテンツ復号部９０７、コンテンツパケット解析部９０８、HTTPプロトコル部９１０、確認パラメータ生成部２０１、確認結果照合部２０３、リトライ判断部４０１、およびコンテンツ利用部４０３を備える。さらに、確認要求部６０１、およびコンテンツパケット受信部６０２を備える。
【手続補正７２】
【補正対象書類名】明細書
【補正対象項目名】０１１５
【補正方法】変更
【補正の内容】
【０１１５】
確認要求部６０１は、一旦コンテンツの利用を中止した後も、確認要求を送信機へ送信する。ここで、例えば、確認要求を送信するタイミングは、あらかじめ設定したリトライ再開時間の繰り返しとする。
【手続補正７３】
【補正対象書類名】明細書
【補正対象項目名】０１１７
【補正方法】変更
【補正の内容】
【０１１７】
図７は、図１の送信機１００および図６の受信機６００を備えた実施の形態３のコンテンツ送受信システムにおける処理手順（プロトコル）を示す図である。図６および図７を用いて、受信機６００が行う、受信コンテンツが正規であるかどうかを確認するプロトコル動作について説明する。ステップＳ３２１〜ステップＳ３２７までは、前述の実施の形態２の図５での記載と同一であり、省略する。
【手続補正７４】
【補正対象書類名】明細書
【補正対象項目名】０１１８
【補正方法】変更
【補正の内容】
【０１１８】
ステップＳ７０１：確認要求部６０１にて、前回の確認要求を送信してからリトライ再開時間が経過しているかどうかを確認し、経過していれば、コンテンツパケット受信部６０２での受信コンテンツパケットの破棄を中止し、ステップＳ３２２に戻り、確認要求を送信する。なお、ステップＳ７０１が、本発明の確認要求再送信ステップの一例にあたる。
【手続補正７５】
【補正対象書類名】明細書
【補正対象項目名】０１１９
【補正方法】変更
【補正の内容】
【０１１９】
従って、不正な機器の成りすましが終われば、直ちに受信を再開できる。なお、確認要求部６０１には、リトライを無制限に行わないよう、リトライを再開させる制限回数または制限時間が設定されてもよい。ステップＳ７０１における連続した判定を、連続する回数または最初の判定からの経過時間で制限している。その制限回数または制限時間を越えた場合には、受信機６００からのコンテンツ要求等が送信されるまで、確認要求のリトライ送信は中止させる。ここで確認要求部６０１に設定する制限回数または制限時間が、本発明の、確認要求再送信ステップで正規確認要求を繰り返し送信する所定の制限回数または所定の制限期間の一例にあたる。このリトライを再開させるために設定する制限回数または制限時間を、十分に多くの回数または十分に長い時間に設定することにより、不正な機器の成りすましが終わった後に、正規の送信機からの了承メッセージを確実に受信させることができる。また、ユーザによる停止指示など、あらかじめ設定された停止条件が発生したらリトライをやめてもよい。
【手続補正７６】
【補正対象書類名】明細書
【補正対象項目名】０１２０
【補正方法】変更
【補正の内容】
【０１２０】
なお、実施の形態３では、コンテンツの利用中止後の確認要求の発行を、リトライ再開時間の繰り返しとしたが、ユーザの入力指定であってもよい。
【手続補正７７】
【補正対象書類名】明細書
【補正対象項目名】０１２１
【補正方法】変更
【補正の内容】
【０１２１】
本発明の正規コンテンツ確認方法、コンテンツ送受信システム、送信機、および受信機等は、ネットワーク上で、不正な機器が、正当な送信機と受信機の間の通信を監視し受信機に不当なコンテンツを送りつけるといった攻撃を逃れるためのコンテンツ確認技術として有用である。
【手続補正７８】
【補正対象書類名】明細書
【補正対象項目名】０１２２
【補正方法】変更
【補正の内容】
【０１２２】
【図１】本発明の実施の形態１に係るコンテンツ送受信システムで使用される送信機の機能ブロックを示す図
【図２】本発明の実施の形態１に係るコンテンツ送受信システムで使用される受信機の機能ブロックを示す図
【図３】本発明の実施の形態１に係るコンテンツ送受信システムにおける処理手順を示す図
【図４】本発明の実施の形態２に係るコンテンツ送受信システムで使用される受信機の機能ブロックを示す図
【図５】本発明の実施の形態２に係るコンテンツ送受信システムにおける処理手順を示す図
【図６】本発明の実施の形態３に係るコンテンツ送受信システムで使用される受信機の機能ブロックを示す図
【図７】本発明の実施の形態３に係るコンテンツ送受信システムにおける処理手順を示す図
【図８】従来の伝送システムにおける送信機の機能ブロックを示す図
【図９】従来の伝送システムにおける受信機の機能ブロックを示す図
【図１０】従来の伝送システムにおける暗号通信プロトコル手順を示す図
【図１１】従来の伝送システムのネットワークにおける構成と課題を説明する図
【手続補正７９】
【補正対象書類名】明細書
【補正対象項目名】０１２３
【補正方法】変更
【補正の内容】
【０１２３】
１００  送信機
１０１  確認要求受付部
１０２  識別情報確認部
１０３  更新情報確認部
１０４  確認応答部
１０５  更新情報作成・更新部
２００、４００、６００  受信機
２０１  確認パラメータ生成部
２０２  確認要求部
２０３  確認結果照合部
２０４、４０２、６０２  コンテンツパケット受信部
２０５、４０３  コンテンツ利用部
４０１  リトライ判断部
８０１  証明書・鍵保持部
８０２  交換鍵作成部
８０３  認証・鍵交換部
８０５  コピー制御情報管理部
８０６  コンテンツ鍵算出部
８０７  コンテンツ蓄積部
８０８  コンテンツ暗号化部
８０９  コンテンツパケット作成部
８１０  コンテンツパケット送信部
９０１  証明書・鍵保持部
９０２  認証・鍵交換部
９０３  更新情報格納部
９０４  コピー制御情報格納部
９０５  コンテンツ鍵算出部
９０７  コンテンツ復号部
９０８  コンテンツパケット解析部
９１０  ＨＴＴＰプロトコル部
【手続補正８０】
【補正対象書類名】図面
【補正対象項目名】図１
【補正方法】変更
【補正の内容】
【図１】
2006115083.tif 000001
【手続補正８１】
【補正対象書類名】図面
【補正対象項目名】図７
【補正方法】変更
【補正の内容】
【図７】
2006115083.tif 000002